(57)【要約】  凝縮器に急激に滞留していく冷媒液を凝縮器から逃がすことができる空気調和装置を提供する。空気調和装置（１００）は、それぞれ、電動弁（２１）と、室内熱交換器（２２）と、を有し、個別に運転のＯＮ又はＯＦＦが操作される、複数の室内機（２０）と、圧縮機（１１）と、室外熱交換器（１２）と、を有し、複数の前記室内機（２０）が接続される室外機（１０）と、前記膨張弁（２１）の開度を制御する制御装置（５０）と、を備え、前記制御装置（５０）は、複数の前記室内機（２０）の全体の運転容量が所定時間に所定率だけ減少した運転容量減少時には、運転中の前記室内機（２０）の前記膨張弁（２１）の開度を増加させる。
2019087407.tif 000002
【特許請求の範囲】
【請求項１】
それぞれ、膨張弁（２１）と、蒸発器（２２）と、を有し、個別に運転のＯＮ又はＯＦＦが操作される、複数の室内機（２０）と、
圧縮機（１１）と、凝縮器（１２）と、を有し、複数の前記室内機（２０）が接続される室外機（１０）と、
前記膨張弁（２１）の開度を制御する制御装置（５０）と、
を備え、
前記制御装置（５０）は、複数の前記室内機（２０）の全体の運転容量が所定時間に所定率だけ減少した運転容量減少時には、運転中の前記室内機（２０）の前記膨張弁（２１）の開度を増加させる、空気調和装置（１００）。
【請求項２】
それぞれ、膨張弁（２１）と、蒸発器（２２）と、を有し、個別に運転のＯＮ又はＯＦＦが操作される、複数の室内機（２０）と、
圧縮機（１１）と、凝縮器（１２）と、を有し、複数の前記室内機（２０）が接続される室外機（１０）と、
前記膨張弁（２１）の開度を制御する制御装置（５０）と、
を備え、
前記制御装置（５０）は、複数の前記室内機（２０）の全体運転容量が所定時間に所定率だけ減少した運転容量減少時であって、高圧圧力が第一所定値以上のときには、運転中の前記室内機（２０）の前記膨張弁（２１）の開度を増加させる、空気調和装置（１００）。
【請求項３】
前記制御装置（５０）は、前記運転容量減少時には、高圧圧力と低圧圧力との差圧に応じて、前記膨張弁（２１）の開度を増加させる、請求項１又は２に記載の空気調和装置（１００）。
【請求項４】
前記制御装置（５０）は、前記運転容量減少時には、前記凝縮器（１２）の出口の過冷却度に応じて、前記膨張弁（２１）の開度を増加させる、請求項１から３のいずれか１項に記載の空気調和装置（１００）。
【請求項５】
前記制御装置（５０）は、前記運転容量減少時とは異なる通常運転時には、前記蒸発器（２２）の出口の過熱度が目標過熱度になるように、前記膨張弁（２１）の開度を制御する、請求項１から４のいずれか１項に記載の空気調和装置（１００）。
【請求項６】
前記制御装置（５０）は、前記運転容量減少時には、前記膨張弁（２１）の開度を全開に設定する、請求項１から５のいずれか１項に記載の空気調和装置（１００）。
【請求項７】
前記制御装置（５０）は、高圧圧力が第二所定値以上であれば、前記圧縮機（１１）の運転容量を低下させる、請求項１から６のいずれか１項に記載の空気調和装置（１００）。
【請求項８】
前記制御装置（５０）は、高圧圧力が第三所定値以上であれば前記圧縮機（１１）を停止する、請求項１から７のいずれか１項に記載の空気調和装置（１００）。
【請求項９】
冷房専用装置であって、冷媒量を調整する容器を有さない、請求項１から８のいずれか１項に記載の空気調和装置（１００）。
【発明の詳細な説明】
【技術分野】
【０００１】
本発明は、空気調和装置に関する。
【背景技術】
【０００２】
従来、圧縮機と、凝縮器と、電動弁と、蒸発器と、が接続された冷媒回路を備える空気調和装置は公知である。特許文献１（特開２０１５−１２４９５８号公報）には、高外気下での冷房運転時において、低圧圧力が上限値を超えたときには、室内ユニットのファン回転数を低下させる空気調和装置が記載されている。
【発明の概要】
【発明が解決しようとする課題】
【０００３】
しかし、特許文献１（特開２０１５−１２４９５８号公報）には、高外気下での冷房運転時において、高圧圧力が急激に上昇していくとき、凝縮器に急激に滞留していく冷媒液を凝縮器から逃がすことについての記載がない。本開示の課題は、凝縮器に急激に滞留していく冷媒液を凝縮器から逃がすことである。
【課題を解決するための手段】
【０００４】
本開示の第１観点に係る空気調和機は、それぞれ、膨張弁と、蒸発器と、を有し、個別に運転のＯＮ又はＯＦＦが操作される、複数の室内機と、圧縮機と、凝縮器と、を有し、複数の室内機が接続される室外機と、膨張弁の開度を制御する制御装置と、を備え、制御装置は、複数の室内機の全体の運転容量が所定時間に所定率だけ減少した運転容量減少時には、運転中の室内機の膨張弁の開度を増加させる。【０００５】
したがって、本開示によれば、凝縮器に急激に滞留していく冷媒液を凝縮器から逃がすことができる。【０００６】
本開示の第２観点に係る空気調和機は、それぞれ、膨張弁と、蒸発器と、を有し、個別に運転のＯＮ又はＯＦＦが操作される、複数の室内機と、圧縮機と、凝縮器と、を有し、複数の室内機が接続される室外機と、膨張弁の開度を制御する制御装置と、を備え、制御装置は、複数の室内機の全体運転容量が所定時間に所定率だけ減少した運転容量減少時であって、高圧圧力が第一所定値以上のときには、運転中の室内機の膨張弁の開度を増加させる。【０００７】
本開示の第３観点に係る空気調和機は、制御装置は、運転容量減少時には、高圧圧力と低圧圧力との差圧に応じて、膨張弁の開度を増加させる。【０００８】
本開示の第４観点に係る空気調和機は、制御装置は、運転容量減少時には、凝縮器の出口の過冷却度に応じて、膨張弁の開度を増加させる。【０００９】
本開示の第５観点に係る空気調和機は、制御装置は、運転容量増減時とは異なる通常運転時には、蒸発器の出口の過熱度が目標過熱度になるように、膨張弁の開度を制御する。【００１０】
本開示の第６観点に係る空気調和機は、制御装置は、運転容量減少時には、膨張弁の開度を全開に設定する。【００１１】
本開示の第７観点に係る空気調和機は、制御装置は、空気調和装置の高圧圧力が第二圧力以上であれば、圧縮機の運転容量を低下させる。【００１２】
本開示の第８観点に係る空気調和機は、制御装置は、高圧圧力が第三圧力以上であれば、圧縮機を停止する。【００１３】
本開示の第９観点に係る空気調和機は、冷房専用装置であって、冷媒量を調整する容器を有さない。
【図面の簡単な説明】
【００１４】
【図１】空気調和装置の冷媒系統図である。
【図２】通常運転時の電動弁制御のフローチャートである。
【図３】通常運転時の圧縮機容量制御のフローチャートである。
【図４】通常運転時の高圧保護制御のフローチャートである。
【図５】冷媒滞留時の電動弁制御のフローチャートである。
【図６】同じくタイムチャートである。
【図７】高圧上昇時の電動弁制御のフローチャートである。
【図８】同じくタイムチャートである。
【図９】運転容量減少時の電動弁制御のフローチャートである。
【図１０】同じくタイムチャートである。
【図１１】運転容量増加時の圧縮機容量制御のフローチャートである。
【図１２】同じくタイムチャートである。
【発明を実施するための形態】
【００１５】
以下、本開示に係る空気調和装置１００の実施形態について、図面に基づいて説明する。なお、本開示に係る空気調和装置１００の具体的な構成は、下記の実施形態に限られるものではなく、開示の要旨を逸脱しない範囲で変更可能である。
【００１６】
＜空気調和装置＞
（１）全体構成
図１を用いて、空気調和装置１００の全体構成について説明する。図１の破線は、電気信号線を表している。なお、以下では、冷媒の流れ方向にしたがって上流側又は下流側を定義している。
【００１７】
空気調和装置１００は、蒸気圧縮式冷凍サイクルを用いて、建物等の室内の冷房を行う装置である。空気調和装置１００は、冷房専用装置とされている。空気調和装置１００は、室外機１０と、４台の室内機２０ａ、２０ｂ、２０ｃ、２０ｄと、連絡配管４１、４２と、制御装置としてのコントローラ５０と、を備えている。
【００１８】
（１−１）室外機
室外機１０は、建物の室外に設けられている。室外機１０は、圧縮機１１と、凝縮器としての室外熱交換器１２と、室外ファン１３と、を備えている。圧縮機１１、室外熱交換器１２、及び室外ファン１３は、室外ケーシング（図示略）に収納されている。
【００１９】
圧縮機１１は、冷媒ガスを低圧から高圧にして送り出すものである。圧縮機１１の低圧側には、吸入配管３１が接続されている。吸入配管３１の圧縮機１１の近傍には、低圧圧力センサ６１が設けられている。圧縮機１１の高圧側には、吐出配管３２が接続されている。吐出配管３２の圧縮機１１の近傍には、高圧圧力センサ６２と、高圧遮断圧力スイッチ８２と、が設けられている。
【００２０】
室外熱交換器１２は、空気と冷媒とを熱交換させ、冷媒ガスを冷媒液に凝縮させるものである。室外熱交換器１２の上流側は、吐出配管３２に接続されている。室外熱交換器１２の下流側は、液配管３３に接続されている。液配管３３の室外熱交換器１２の近傍には、室外熱交換器出口温度センサ７１が設けられている。つまり、室外熱交換器出口温度センサ７１は、室外熱交換器１２の出口に設けられている。
【００２１】
室外ファン１３は、電動機（図示略）によって駆動され、室外熱交換器１２に向けて空気を送風するものである。室外ファン１３の吸い込み側には、室外吸い込み空気温度センサ７４が設けられている。具体的には、室外吸い込み空気温度センサ７４は、室外ケーシングの空気吸い込み口に設けられている。
【００２２】
低圧圧力センサ６１は、圧縮機１１によって吸入される冷媒ガス、すなわち空気調和装置１００の低圧圧力ＬＰを検出するものである。高圧圧力センサ６２は、圧縮機１１によって圧縮された冷媒ガス、すなわち空気調和装置１００の高圧圧力ＨＰを検出するものである。室外熱交換器出口温度センサ７１は、室外熱交換器１２の出口の冷媒液の温度（室外熱交換器出口温度Ｔｃｏ）を検出するものである。室外吸い込み空気温度センサ７４は、室外機１０の室内吸い込み空気温度Ｔｂを検出するものである。
【００２３】
高圧遮断圧力スイッチ８２は、空気調和装置１００の高圧圧力ＨＰが所定値ＨＰｍ以上であれば、空気調和装置１００を停止するものである。
【００２４】
（１−２）室内機
室内機２０ａは、建物の室内に設けられている。室内機２０ａは、連絡配管（液配管３３及び吸入配管３１）によって室外機１０と接続されている。室内機２０ａは、膨張弁としての電動弁２１ａと、蒸発器としての室内熱交換器２２ａと、室内ファン２３ａと、リモコン（図示略）と、を備えている。電動弁２１ａ、室内熱交換器２２ａ及び室内ファン２３ａは、室内ケーシング（図示略）に収納されている。
【００２５】
電動弁２１ａは、冷媒液を気液混合冷媒に膨張するものである。電動弁２１ａは、電気的に駆動され、開度の増加又は減少の操作が行われる。電動弁２１ａの上流側は、連絡配管４１に接続されている。
【００２６】
室内熱交換器２２ａは、空気と冷媒とを熱交換させ、気液混合冷媒を冷媒ガスに蒸発させるものである。室内熱交換器２２ａの下流側は、連絡配管４２に接続されている。室内熱交換器出口温度センサ７２ａは、室内熱交換器２２ａの出口に設けられている。
【００２７】
室内ファン２３ａは、電動機（図示略）によって駆動され、室内熱交換器２２ａに向けて空気を送風するものである。室内ファン２３ａの吸い込み側には、室内吸い込み空気温度センサ７３ａが設けられている。具体的には、室内吸い込み空気温度センサ７３ａは、室内ケーシングの空気吸い込み口に設けられている。
【００２８】
リモコンは、ユーザーが室内機２０ａのＯＮ／ＯＦＦ又は室内の設定温度Ｔｓを入力するものである。
【００２９】
室内熱交換器出口温度センサ７２ａは、室内熱交換器２２ａの出口の冷媒ガスの温度（室内熱交換器出口温度Ｔｅｏ）を検出するものである。室内吸い込み空気温度センサ７３ａは、室内機２０ａの室内吸い込み空気温度Ｔａを検出するものである。
【００３０】
室内機２０ｂ、２０ｃ、２０ｄは、それぞれ室内機２０ａの構成と同様であるため、説明を省略する。なお、以下では、室内機２０ａ、２０ｂ、２０ｃ、２０ｄの任意を表す場合は単に室内機２０とする。電動弁２１、室内熱交換器２２、室内熱交換器出口温度センサ７２又は室内吸い込み空気温度センサ７３についても同様とする。
【００３１】
コントローラ５０は、有線又は無線によって互いに通信可能に接続された室外機１０に設けられた制御基板（図示せず）と室内機２０ａ、２０ｂ、２０ｃ、２０ｄに設けられた制御基板（図示せず）を有して構成されている。また、コントローラ５０は、１つ又は複数のＣＰＵ、ＲＯＭ、ＲＡＭ等を備えている。
【００３２】
コントローラ５０は、低圧圧力センサ６１と、高圧圧力センサ６２と、高圧遮断圧力スイッチ８２と、室外熱交換器出口温度センサ７１と、電動弁２１と、室内熱交換器出口温度センサ７２と、室内吸い込み空気温度センサ７３と、室内機２０のリモコンと、に接続されている。
【００３３】
コントローラ５０は、圧縮機１１の回転周波数を変更して、圧縮機１１の運転容量Ｃａｐを制御する機能を有している。コントローラ５０は、電動弁２１の開度を制御する機能を有している。
【００３４】
コントローラ５０は、室内機２０の運転容量ＴＯＮを検出する機能を有している。ここで、室内機２０は、容量を有している。運転容量ＴＯＮとは、運転（サーモＯＮ）されている室内機２０の容量を表している。なお、運転容量ＴＯＮでは、サーモＯＦＦされている室内機２０の容量は除かれる。
【００３５】
ここで、特記すべき事項として、空気調和装置１００には、レシーバ、アキュムレータ等の冷媒量調整用の容器が設けられていない。
【００３６】
（１−３）連絡配管
連絡配管４１、４２は、室外機１０と複数の室内機２０ａ、２０ｂ、２０ｃ、２０ｄとを接続するものである。
【００３７】
（２）冷房運転
図１を用いて、空気調和装置１００の冷房運転について説明する。なお、説明をわかりやすくするため、室内機２０ｂ、２０ｃ、２０ｄはＯＦＦとされているとして、室内機２０ａの冷房運転についてのみ説明する。
【００３８】
圧縮機１１によって圧縮された高温かつ高圧の冷媒ガスは、室外熱交換器１２に向かって流れる。室外熱交換器１２において、高温かつ高圧の冷媒ガスは、空気によって熱を奪われ、冷媒液に凝縮される。凝縮した冷媒液は、電動弁２１ａに向かって流れる。
【００３９】
冷媒液は、電動弁２１ａによって、気液混合冷媒に膨張される。気液混合冷媒は、室内熱交換器２２ａに向かって流れる。室内熱交換器２２ａにおいて、気液混合冷媒は、空気によって熱が与えられ、冷媒ガスに蒸発される。蒸発された冷媒ガスは、圧縮機１１に吸入される。
【００４０】
（３−１）通常運転時の電動弁制御
図２を用いて、通常運転時の電動弁制御Ｓ１００について説明する。通常運転とは、冷房運転であって、後に説明する冷媒滞留時、高圧上昇時、運転容量減少時とは異なる制御である。なお、説明をわかりやすくするため、室内機２０ｂ、２０ｃ、２０ｄはＯＦＦとされているとして、室内機２０ａの通常運転時についてのみ説明する。
【００４１】
ステップＳ１０１において、コントローラ５０は、室内熱交換器出口温度センサ７２ａによって室内熱交換器出口温度Ｔｅｏを検出する。ステップＳ１０２において、コントローラ５０は、低圧圧力センサ６１によって低圧圧力ＬＰを検出する。ステップＳ１０３において、コントローラ５０は、低圧圧力ＬＰから蒸発温度Ｔｅを算出する。
【００４２】
ステップＳ１０４において、コントローラ５０は、室内熱交換器出口温度Ｔｅｏと蒸発温度Ｔｅとから室内熱交換器２２ａの出口の過熱度ＳＨを算出する。ステップＳ１０５において、コントローラ５０は、過熱度ＳＨが予め設定された目標過熱度ＳＨｍよりも小さい場合には、電動弁２１ａの開度を減少させる。一方、コントローラ５０は、過熱度ＳＨが目標過熱度ＳＨｍよりも大きい場合には、電動弁２１ａの開度を増加させる。
【００４３】
このような構成とすることで、空気調和装置１００では、通常運転時には、室内熱交換器２２ａの過熱度ＳＨが目標過熱度ＳＨｍになるように運転される。このようにして、空気調和装置１００では、圧縮機１１の湿り運転又は過熱運転を回避することができる。
【００４４】
（３−２）通常運転時の圧縮機運転容量制御
図３を用いて、通常運転時の圧縮機運転容量制御Ｓ２００について説明する。なお、説明をわかりやすくするため、室内機２０ｂ、２０ｃ、２０ｄはＯＦＦとされているとして、室内機２０ａの通常運転時についてのみ説明する。
【００４５】
ステップＳ２０１において、コントローラ５０は、室内吸い込み空気温度センサ７３ａによって室内吸い込み空気温度Ｔａを検出する。ステップＳ２０２において、コントローラ５０は、リモコンによって設定された設定温度Ｔｓを検出する。
【００４６】
ステップＳ２０３において、コントローラ５０は、室内吸い込み空気温度Ｔａと設定温度Ｔｓとの差（熱負荷）に基づいて圧縮機１１の運転容量Ｃａｐを制御する。具体的には、コントローラ５０は、室内吸い込み空気温度Ｔａと設定温度Ｔｓとの差が大きい場合には、運転容量Ｃａｐを増加させ、室内吸い込み空気温度Ｔａと設定温度Ｔｓとの差が小さい場合には、運転容量Ｃａｐを減少させる。
【００４７】
このような構成とすることで、空気調和装置１００では、通常運転時には、室内吸い込み空気温度Ｔａが設定温度Ｔｓに近づくように圧縮機１１の運転容量Ｃａｐが制御される。このようにして、空気調和装置１００では、熱負荷に適した圧縮機１１の容量制御が実行され、早急に室内吸い込み空気温度Ｔａを設定温度Ｔｓにすることができる。
【００４８】
通常運転時の圧縮機運転容量制御Ｓ２００の変形例として、蒸発温度Ｔｅが目標蒸発温度Ｔｅｍで一定になるように、圧縮機１１の運転容量Ｃａｐを制御しても良い。具体的には、蒸発温度Ｔｅが目標蒸発温度Ｔｅｍよりも高い場合には、圧縮機１１の運転容量Ｃａｐが大きくなるように制御される。一方、蒸発温度Ｔｅが目標蒸発温度Ｔｅｍよりも低い場合には、圧縮機１１の運転容量Ｃａｐが小さくなるように制御される。ここで、目標蒸発温度Ｔｅｍは、室内機２０の運転容量ＴＯＮが大きくなると、低くなるように設定され、室内機２０の運転容量ＴＯＮが小さくなると、高くなるように設定される。
【００４９】
（３−３）高圧保護制御
図４を用いて、高圧保護制御Ｓ３００について説明する。
【００５０】
ステップＳ３０１において、コントローラ５０は、高圧圧力センサ６２によって高圧圧力ＨＰを検出する。ステップＳ３０２において、コントローラ５０は、高圧圧力ＨＰが所定値ＨＰｎより大きいか否かを判断する。なお、所定値ＨＰｎは、高圧遮断圧力スイッチ８２にて設定された所定値ＨＰｍよりも小さいものとする。
【００５１】
ステップＳ３０２において、高圧圧力ＨＰが所定値ＨＰｎより大きい場合には、ステップＳ３０３に移行する。高圧圧力ＨＰが所定値ＨＰｎ以下の場合には、Ｓ３０１に戻る。ステップＳ３０３において、コントローラ５０は、圧縮機１１の運転容量Ｃａｐを低減させる。
【００５２】
このような構成とすることで、空気調和装置１００では、高圧圧力ＨＰが上昇したときであっても、高圧遮断圧力スイッチ８２が作動する前に、高圧圧力ＨＰが低下される。このようにして、空気調和装置１００では、高圧遮断圧力スイッチ８２が作動して停止されることを回避することができる。
【００５３】
（３−４）冷媒滞留時の電動弁制御
図５及び図６を用いて、冷媒滞留時の電動弁制御Ｓ１１０について説明する。電動弁制御Ｓ１１０は、高外気下での冷房運転時において、冷房能力を確保するための制御である。
【００５４】
（３−４−１）フロー
図５を用いて、電動弁制御Ｓ１１０のフローについて説明する。なお、説明をわかりやすくするため、室内機２０ｂ、２０ｃ、２０ｄはＯＦＦとされているとして説明する。
【００５５】
ステップＳ１１１において、コントローラ５０は、室外熱交換器出口温度センサ７１によって室外熱交換器出口温度Ｔｃｏを検出する。ステップＳ１１２において、コントローラ５０は、高圧圧力センサ６２によって高圧圧力ＨＰを検出する。ステップＳ１１３において、コントローラ５０は、高圧圧力ＨＰから凝縮温度Ｔｃを算出する。
【００５６】
ステップＳ１１４において、コントローラ５０は、室外熱交換器出口温度Ｔｃｏと凝縮温度Ｔｃとから室外熱交換器１２の出口の過冷却度ＳＣを算出する。ステップＳ１１５において、コントローラ５０は、凝縮温度Ｔｃが予め設定された所定温度Ｔｃ１以上の場合には、ステップＳ１１６に移行する。凝縮温度Ｔｃが所定温度Ｔｃ１未満の場合には、Ｓ１１１に戻る。
【００５７】
ステップＳ１１６において、コントローラ５０は、過冷却度ＳＣが予め設定された所定値ＳＣ１以上の場合には、ステップＳ１１７に移行する。過冷却度ＳＣが所定値ＳＣ１未満の場合には、Ｓ１１１に戻る。ステップＳ１１７（冷媒滞留時）において、コントローラ５０は、室外熱交換器１２に冷媒液が滞留していると判断し、電動弁制御Ｓ１００における目標過熱度ＳＨｍを低く設定する。
【００５８】
（３−４−２）作用
図６を用いて、電動弁制御Ｓ１１０の作用について説明する。なお、図６では、電動弁制御Ｓ１１０の作用について、凝縮温度Ｔｃ、室外熱交換器１２の出口の過冷却度ＳＣ、室内熱交換器２２ａの目標過熱度ＳＨｍ、電動弁２１ａの開度及び圧縮機１１の運転容量Ｃａｐの時系列変化を用いて表している。
【００５９】
ここで、空気調和装置１００では、室外熱交換器１２に冷媒液が滞留し、高圧圧力ＨＰ（凝縮温度Ｔｃ）が上昇し、高圧保護制御Ｓ３００が作動し、圧縮機１１の運転容量Ｃａｐが低下していると仮定する。
【００６０】
ステップＳ１１５では、凝縮温度Ｔｃが所定温度Ｔｃ１以上と検知される。ステップＳ１１６では、過冷却度ＳＣが所定値ＳＣ１以上と検知される。そして、ステップＳ１１６では、室外熱交換器１２に冷媒液が滞留していると判断され、目標過熱度ＳＨｍが現在より低く設定される。
【００６１】
このとき、空気調和装置１００では、目標過熱度ＳＨｍが現在より低く設定されたため、電動弁２１ａの開度が増加する（図６中の６ａ）。電動弁２１ａの開度が増加したため、室外熱交換器１２に滞留している冷媒液が室外熱交換器１２から逃げる。
【００６２】
室外熱交換器１２に滞留している冷媒液が室外熱交換器１２から逃げることによって、凝縮温度Ｔｃが低下する（図６中の６ｂ）。凝縮温度Ｔｃが低下することによって、高圧保護制御Ｓ３００が解除される。高圧保護制御Ｓ３００が解除されることによって、圧縮機１１の運転容量Ｃａｐが増加される（図６中の６ｃ）。
【００６３】
（３−４−３）効果
このようにして、空気調和装置１００では、室外熱交換器１２に滞留している冷媒液を室外熱交換器１２から逃がすことができる。同時に、空気調和装置１００では、高圧保護制御Ｓ３００が回避され、冷房能力の低下を回避することができる。
【００６４】
（３−５）高圧上昇時の電動弁制御
図７及び図８を用いて、高圧上昇時の電動弁制御Ｓ１２０について説明する。電動弁制御Ｓ１２０は、高外気下での冷房運転において高圧圧力ＨＰが急激に上昇した場合に、高圧遮断圧力スイッチ８２によって空気調和装置１００が停止されることを回避する制御である。
【００６５】
（３−５−１）フロー
図７を用いて、電動弁制御Ｓ１２０のフローについて説明する。なお、説明をわかりやすくするため、室内機２０ｂ、２０ｃ、２０ｄはＯＦＦとされているとして説明する。
【００６６】
ステップＳ１２１において、コントローラ５０は、高圧圧力センサ６２より高圧圧力ＨＰを検出する。ステップＳ１２２において、コントローラ５０は、高圧圧力ＨＰが予め設定された所定値ＨＰ２以上の場合には、ステップＳ１２３に移行する。高圧圧力ＨＰが所定値ＨＰ２未満の場合には、Ｓ１２１に戻る。
【００６７】
ステップＳ１２３において、コントローラ５０は、圧縮機１１の運転容量Ｃａｐが予め設定された所定値Ｃａｐ２以下の場合には、ステップＳ１２４に移行する。運転容量Ｃａｐが所定値Ｃａｐ２より大きい場合には、ステップＳ１２５に移行する。
【００６８】
ステップＳ１２４（高圧上昇時）において、コントローラ５０は、室外熱交換器１２に急激に冷媒が滞留していると判断して、電動弁２１ａの開度を所定量だけ増加させる。ステップＳ１２５において、コントローラ５０は、圧縮機１１の運転容量Ｃａｐを所定量だけ減少させる。
【００６９】
（３−５−２）作用
図８を用いて、電動弁制御Ｓ１２０の作用について説明する。なお、図８では、電動弁制御Ｓ１２０の作用について、高圧圧力ＨＰ、圧縮機１１の運転容量Ｃａｐ及び電動弁２１ａの開度の時系列変化を用いて表している。ここで、空気調和装置１００では、高外気下での起動直後に、室外熱交換器１２に冷媒液が急激に滞留していると仮定する。
【００７０】
ステップＳ１２２では、高圧圧力ＨＰが所定値ＨＰ２以上であると検知される。ステップＳ１２３では、圧縮機１１の運転容量Ｃａｐが所定値Ｃａｐ２以下と検知される。ステップＳ１２４では、室外熱交換器１２に急激に冷媒が滞留していると判断され、電動弁２１ａの開度が所定量だけ増加される。
【００７１】
このとき、空気調和装置１００では、電動弁２１ａの開度が所定量だけ増加されたため、室外熱交換器１２に急激に滞留していく冷媒液が室外熱交換器１２から逃げる。室外熱交換器１２に滞留している冷媒液が室外熱交換器１２から逃げることによって、高圧圧力ＨＰが低下する（図８中の８ａ）。
【００７２】
（３−５−３）効果
このようにして、空気調和装置１００では、室外熱交換器１２に急激に滞留していく冷媒液を室外熱交換器１２から逃がすことができる。同時に、空気調和装置１００では、高圧遮断圧力スイッチ８２の作動を回避して、空気調和装置１００が停止することを回避することができる。
【００７３】
（３−６）運転容量減少時の電動弁制御＞
図９及び図１０を用いて、運転容量減少時の電動弁制御Ｓ１３０について説明する。電動弁制御Ｓ１３０は、室内機２０の運転容量ＴＯＮが急激に減少し、高圧圧力ＨＰが急激に上昇した場合に、空気調和装置１００の停止を回避する制御である。
【００７４】
（３−６−１）フロー
図９を用いて、電動弁制御Ｓ１３０のフローについて説明する。なお、説明をわかりやすくするため、室内機２０ａ、２０ｂ、２０ｃ、２０ｄがＯＮとされている状態から室内機２０ｂ、２０ｃ、２０ｄがＯＦＦとされるとして説明する。
【００７５】
ステップＳ１３１において、コントローラ５０は、運転容量ＴＯＮを運転容量ＴＯＮ１（室内機２０ａ、２０ｂ、２０ｃ、２０ｄがＯＮ）として検出する。ステップＳ１３２において、コントローラ５０は、所定時間ｔ３が経過してからステップＳ１３３に移行する。ステップＳ１３３において、コントローラ５０は、運転容量ＴＯＮを運転容量ＴＯＮ２（室内機２０がＯＮ）として検出する。
【００７６】
ステップＳ１３４において、コントローラ５０は、運転容量ＴＯＮ２が運転容量ＴＯＮ１より小さい場合には、ステップＳ１３５に移行する。運転容量ＴＯＮ２が運転容量ＴＯＮ１以上の場合には、Ｓ１３１に戻る。
【００７７】
ステップＳ１３５において、コントローラ５０は、運転容量ＴＯＮ２の運転容量ＴＯＮ１に対する割合、すなわち所定時間ｔ３における室内機２０の運転容量ＴＯＮの変化率としての運転容量変化率Ｒが所定率Ｒ３以下の場合には、ステップＳ１３６に移行する。運転容量変化率Ｒが所定率Ｒ３より大きい場合には、Ｓ１３１に戻る。
【００７８】
ステップＳ１３６において、コントローラ５０は、高圧圧力センサ６２によって高圧圧力ＨＰを検出する。ステップＳ１３７において、コントローラ５０は、高圧圧力ＨＰが予め設定された所定値ＨＰ３以上の場合には、室外熱交換器１２に急激に冷媒が滞留していると判断して、ステップＳ１３８に移行する。高圧圧力ＨＰが所定値ＨＰ３未満の場合には、Ｓ１３１に戻る。
【００７９】
ステップＳ１３８において、コントローラ５０は、低圧圧力センサ６１によって低圧圧力ＬＰを検出する。ステップＳ１３９において、コントローラ５０は、高圧圧力ＨＰと低圧圧力ＬＰとの差圧ｄＰを算出する。
【００８０】
ステップＳ１４０において、コントローラ５０は、高圧圧力ＨＰから凝縮温度Ｔｃを算出する。ステップＳ１４１において、コントローラ５０は、室外熱交換器出口温度センサ７１によって室外熱交換器出口温度Ｔｃｏを検出する。ステップＳ１４２において、コントローラ５０は、室外熱交換器出口温度Ｔｃｏと凝縮温度Ｔｃとから室外熱交換器１２の出口の過冷却度ＳＣを算出する。
【００８１】
ステップＳ１４３において、コントローラ５０は、差圧ｄＰと過冷却度ＳＣとに応じて、電動弁２１ａの開度を所定量ΔＥｖだけ増加させる。具体的には、差圧ｄＰ及び過冷却度ＳＣが大きい場合には、増加する所定量ΔＥｖを大きくし、差圧ｄＰ及び過冷却度ＳＣが小さい場合には、増加する所定量ΔＥｖを小さくする。
【００８２】
（３−６−２）作用
図１０を用いて、電動弁制御Ｓ１３０の作用について説明する。なお、図１０では、電動弁制御Ｓ１３０の作用について、室内機２０の運転容量ＴＯＮ、高圧圧力ＨＰ、差圧ｄＰ、室外熱交換器１２の過冷却度ＳＣ及び電動弁２１ａの開度の時系列変化を用いて表している。
【００８３】
ステップＳ１３１では、運転容量ＴＯＮが運転容量ＴＯＮ１（室内機２０ａ、２０ｂ、２０ｃ、２０ｄがＯＮ）として検知される。ｔ３が経過し、ステップＳ１３３では、運転容量ＴＯＮが運転容量ＴＯＮ２（室内機２０ａがＯＮ）として検知される。
【００８４】
ステップＳ１３４では、運転容量ＴＯＮ２が運転容量ＴＯＮ１より小さいと検知される。ステップＳ１３５では、運転容量変化率Ｒが所定率Ｒ３以下と検知される。このとき、空気調和装置１００では、室内機２０の運転容量ＴＯＮが急激に減少したと判断される。
【００８５】
ステップＳ１３７では、高圧圧力ＨＰが所定値ＨＰ３以上であると検知され、室外熱交換器１２に急激に冷媒が滞留していると判断される。ステップＳ１４３では、差圧ｄＰと過冷却度ＳＣとに基づいて、電動弁２１ａの開度が増加される。
【００８６】
このとき、空気調和装置１００では、電動弁２１ａの開度が増加されることによって、室外熱交換器１２に急激に滞留していく冷媒液が室外熱交換器１２から逃げる。室外熱交換器１２に滞留している冷媒液が室外熱交換器１２から逃げることによって、高圧圧力ＨＰが低下する（図１０中の１０ａ）。
【００８７】
（３−６−３）効果
このようにして、空気調和装置１００では、室外熱交換器１２に急激に滞留していく冷媒液を室外熱交換器１２から逃がすことができる。同時に、高圧遮断圧力スイッチ８２の作動を回避して、空気調和装置１００が停止することを回避することができる。
【００８８】
（３−７）運転容量増加時の圧縮機運転容量制御
図１１及び図１２を用いて、運転容量増加時の圧縮機運転容量制御Ｓ２１０について説明する。圧縮機運転容量制御Ｓ２１０は、室内機２０の運転容量ＴＯＮが急激に増加し、蒸発温度Ｔｅが急激に上昇した場合に、蒸発温度Ｔｅの上昇を抑制する制御である。
【００８９】
（３−７−１）フロー
図１１を用いて、圧縮機運転容量制御Ｓ２１０のフローについて説明する。なお、説明をわかりやすくするため、室内機２０ａのみがＯＮとされている状態から室内機２０ｂ、２０ｃ、２０ｄがＯＮとされたものとして説明する。
【００９０】
ステップＳ２１１において、コントローラ５０は、室内機２０の運転容量ＴＯＮを運転容量ＴＯＮ３（室内機２０ａがＯＮ）として検出する。ステップＳ２１２において、コントローラ５０は、所定時間ｔ４が経過してからステップＳ２１３に移行する。ステップＳ２１３において、コントローラ５０は、運転容量ＴＯＮを運転容量ＴＯＮ４（室内機２０ａ、２０ｂ、２０ｃ、２０ｄがＯＮ）として検出する。
【００９１】
ステップＳ２１４において、コントローラ５０は、運転容量ＴＯＮ４が運転容量ＴＯＮ３より大きい場合には、ステップＳ２１５に移行する。運転容量ＴＯＮ４が運転容量ＴＯＮ３以下の場合には、Ｓ２１１に戻る。
【００９２】
ステップＳ２１５において、コントローラ５０は、運転容量ＴＯＮ４の運転容量ＴＯＮ３に対する割合、すなわち所定時間ｔ４における室内機２０の運転容量ＴＯＮの変化率としての運転容量変化率Ｒが所定率Ｒ４以上の場合には、室内機２０の運転容量ＴＯＮが急激に増加したと判断し、ステップＳ２１６に移行する。運転容量変化率Ｒが所定率Ｒ４より小さい場合には、Ｓ２１１に戻る。
【００９３】
ステップＳ２１６において、コントローラ５０は、室内吸い込み空気温度センサ７３ａ、７３ｂ、７３ｃ、７３ｄによって室内吸い込み空気温度Ｔａａ、Ｔａｂ、Ｔａｃ、Ｔａｄを検出する。ここで、運転されている室内機２０ａ、２０ｂ、２０ｃ、２０ｄの室内吸い込み空気温度Ｔａａ、Ｔａｂ、Ｔａｃ、Ｔａｄの平均値を室内吸い込み空気温度平均Ｔａ−ａｖｅとする。
【００９４】
ステップＳ２１７において、コントローラ５０は、増加後の運転容量ＴＯＮと、室内吸い込み空気温度平均Ｔａ−ａｖｅとに応じて、圧縮機１１の運転容量Ｃａｐを所定量ΔＣａｐだけ増加させる。
【００９５】
ここで、増加後の運転容量ＴＯＮとは、ステップＳ２１３において検出された運転容量ＴＯＮ４である。
【００９６】
具体的には、運転容量ＴＯＮ及び室内吸い込み空気温度平均Ｔａ−ａｖｅが大きい場合には、増加させる所定量ΔＣａｐが大きく、運転容量ＴＯＮ及び室内吸い込み空気温度平均Ｔａ−ａｖｅが小さい場合には、増加させる所定量ΔＣａｐが小さい。
【００９７】
すなわち、コントローラ５０は、室内機２０の運転容量ＴＯＮが急激に増加したと判断した場合には、通常運転時の圧縮機運転容量制御Ｓ２００（蒸発温度Ｔｅに基づいて圧縮機１１の運転容量Ｃａｐを制御することも含む）を外れて、フィードフォワード制御により、運転容量ＴＯＮと室内吸い込み空気温度平均Ｔａ−ａｖｅとに応じて、圧縮機１１の運転容量Ｃａｐを増加させる。
【００９８】
（３−７−２）作用
図１２を用いて、圧縮機運転容量制御Ｓ２１０の作用について説明する。なお、図１２では、圧縮機運転容量制御Ｓ２１０の作用について、室内機２０の運転容量ＴＯＮ、室内吸い込み空気温度Ｔａ、圧縮機１１の運転容量Ｃａｐ及び蒸発温度Ｔｅの時系列変化を用いて表している。
【００９９】
ステップ２１１では、運転容量ＴＯＮが運転容量ＴＯＮ３（室内機２０ａがＯＮ）として検知される。ｔ４が経過し、ステップＳ２１３では、運転容量ＴＯＮが運転容量ＴＯＮ４（室内機２０ａ、２０ｂ、２０ｃ、２０ｄがＯＮ）として検知される。このとき、空気調和装置１００では、室内機２０の運転容量ＴＯＮが急激に増加したと判断される。
【０１００】
ステップ２１６では、室内吸い込み空気温度Ｔａが検出される。ステップＳ２１７では、の運転容量ＴＯＮと室内吸い込み空気温度Ｔａとに基づいて、圧縮機１１の運転容量Ｃａｐが所定量ΔＣａｐだけ増加される。
【０１０１】
このとき、空気調和装置１００では、圧縮機１１の運転容量Ｃａｐが所定量ΔＣａｐだけ増加されたことによって、低圧圧力ＬＰが低下し、蒸発温度Ｔｅの上昇が抑制される（図１２の１２ａ）。蒸発温度Ｔｅの上昇が抑制されることによって、室内熱交換器２２の熱交換効率の低下が回避される。
【０１０２】
（３−７−３）効果
このようにして、空気調和装置１００では、室内熱交換器２２の熱交換効率の低下を回避することができる。
【０１０３】
＜特徴＞
（１）
空気調和装置１００では、室内機２０の運転容量ＴＯＮが小さいときには、余剰冷媒が発生する。発生した余剰冷媒は、室外熱交換器１２に滞留する。例えば、高外気下において圧縮機１１の運転容量Ｃａｐが急激に減少するとき（室内機２０の運転台数が減少する等）には、室外熱交換器１２に冷媒液が急激に滞留していく。
【０１０４】
室外熱交換器１２に急激に冷媒液が滞留していくときには、空気調和装置１００の高圧圧力ＨＰが急激に上昇していく。このとき、空気調和装置１００では、高圧保護制御Ｓ３００の作動が追いつかずに高圧遮断圧力スイッチ８２が作動する場合もある。高圧遮断圧力スイッチ８２が作動した場合には、空気調和装置１００が停止してしまう。
【０１０５】
空気調和装置１００では、それぞれ、電動弁２１と、室内熱交換器２２と、を有し、個別に運転のＯＮ又はＯＦＦが操作される、複数の室内機２０と、圧縮機１１と、室外熱交換器１２と、を有し、複数の室内機２０が接続される室外機１０と、電動弁２１の開度を制御するコントローラ５０と、を備え、コントローラ５０は、複数の室内機２０の全体の運転容量ＴＯＮが所定時間ｔ３に所定率Ｒ３だけ減少した運転容量減少時には、運転中の室内機２０の電動弁２１の開度を増加させる。
【０１０６】
このような構成とすることで、空気調和装置１００では、室内機２０の運転容量ＴＯＮが所定時間ｔ３に所定率Ｒ３だけ減少したときには、電動弁２１の開度が増加される。このとき、室外熱交換器１２に急激に滞留していく冷媒液は、室外熱交換器１２から室内熱交換器２２に向かって流れる。
【０１０７】
このようにして、空気調和装置１００では、室外熱交換器１２に急激に滞留していく冷媒液を室外熱交換器１２から逃がすことができる。
【０１０８】
（２）
空気調和装置１００では、それぞれ、電動弁２１と、室内熱交換器２２と、を有し、個別に運転のＯＮ又はＯＦＦが操作される、複数の室内機２０と、圧縮機１１と、室外熱交換器１２と、を有し、複数の室内機２０が接続される室外機１０と、電動弁２１の開度を制御するコントローラ５０と、を備え、コントローラ５０は、複数の室内機２０の全体運転容量ＴＯＮが所定時間に所定率だけ減少した運転容量減少時であって、高圧圧力ＨＰが第一所定値としての所定値ＨＰ３以上のときには、運転中の室内機２０電動弁２１の開度を増加させる。
【０１０９】
このような構成とすることで、空気調和装置１００では、所定時間ｔ３に室内機２０の運転容量ＴＯＮが所定率Ｒ３だけ減少したときであって、高圧圧力ＨＰが所定値ＨＰ３以上のときには、電動弁２１の開度が増加される。このとき、室外熱交換器１２に急激に滞留していく冷媒液は、室外熱交換器１２から室内熱交換器２２に向かって流れる。
【０１１０】
このようにして、空気調和装置１００では、室外熱交換器１２に急激に滞留していく冷媒液を室外熱交換器１２から逃がすことができる。
【０１１１】
（３）
空気調和装置１００では、コントローラ５０は、運転容量減少時には、高圧圧力ＨＰと低圧圧力ＬＰとの差圧ｄＰに応じて、電動弁２１の開度を増加させる。
【０１１２】
このような構成とすることで、空気調和装置１００では、電動弁２１の開度が増加されるときには、高圧圧力ＨＰと低圧圧力ＬＰとの差圧ｄＰに応じて、増加される。
【０１１３】
このようにして、空気調和装置１００では、室外熱交換器１２に急激に滞留していく冷媒液を室外熱交換器１２から逃がすことができる。
【０１１４】
（４）
空気調和装置１００では、コントローラ５０は、運転容量減少時には、室外熱交換器１２の出口の過冷却度ＳＣに応じて、電動弁２１の開度を増加させる。
【０１１５】
このような構成とすることで、空気調和装置１００では、電動弁２１の開度が増加されるときには、室外熱交換器１２の出口の過冷却度ＳＣに応じて、増加される。
【０１１６】
このようにして、空気調和装置１００では、室外熱交換器１２に急激に滞留していく冷媒液を室外熱交換器１２から逃がすことができる。
【０１１７】
（５）
空気調和装置１００では、コントローラ５０は、運転容量減少時とは異なる通常運転時には、室内熱交換器２２の出口の過熱度ＳＨが目標過熱度ＳＨｍになるように、電動弁２１の開度を制御する。
【０１１８】
このような構成とすることで、空気調和装置１００では、通常運転時には、室内熱交換器２２の過熱度ＳＨが目標過熱度ＳＨｍになるように運転される。
【０１１９】
このようにして、空気調和装置１００では、圧縮機１１の湿り運転又は過熱運転を防止できる。
【０１２０】
（６）
空気調和装置１００では、コントローラ５０は、運転容量減少時には、電動弁２１の開度を全開に設定する。
【０１２１】
このような構成とすることで、空気調和装置１００では、電動弁２１の開度を増加させるときには、電動弁２１の開度が全開に設定される。
【０１２２】
このようにして、空気調和装置１００では、室外熱交換器１２に急激に滞留していく冷媒液を室外熱交換器１２から逃がすことができる。
【０１２３】
（７）
空気調和装置１００では、コントローラ５０は、空気調和装置１００の高圧圧力ＨＰが第二所定値としての所定値ＨＰｎ以上であれば、圧縮機１１の運転容量Ｃａｐを低下させる。
【０１２４】
このような構成とすることで、空気調和装置１００では、高圧遮断圧力スイッチ８２が作動する前に、高圧圧力ＨＰが低下される。
【０１２５】
このようにして、空気調和装置１００では、高圧遮断圧力スイッチ８２が作動して停止されることを防止できる。
【０１２６】
（８）
空気調和装置１００は、コントローラ５０は、高圧圧力ＨＰが第三所定値としての所定値ＨＰｍ以上であれば、圧縮機１１を停止する。
【０１２７】
このようにして、空気調和装置１００では、配管又は容器が破損することを防止できる。
【０１２８】
（９）
空気調和装置１００は、冷房専用装置であって、冷媒量を調整する容器を有さない。
【０１２９】
＜変形例＞
（１）
電動弁制御Ｓ１３０のステップＳ１３５において、コントローラ５０が、運転容量変化率Ｒが所定率Ｒ３以下と判断した場合には、凝縮器１２に急激に冷媒液が滞留していき、高圧圧力ＨＰが急激に上昇すると予想して、電動弁２１ａの開度を増加させても良い。
【０１３０】
（２）
電動弁制御Ｓ１３０のステップｓ１３５及びステップＳ１３６において、コントローラ５０が、運転容量変化率Ｒが所定率Ｒ３以下と判断した場合には、凝縮器１２に急激に冷媒液が滞留していき、高圧圧力ＨＰが急激に上昇すると予想して、電動弁２１ａの開度を増加させても良い。
【０１３１】
（３）
電動弁制御Ｓ１３０のステップＳ１４３において、コントローラ５０が差圧ｄＰと過冷却度ＳＣとに基づいて、電動弁２１ａの開度を増加させているが、例えば、運転容量変化率Ｒに応じて、電動弁２１ａの開度を増加させても良い。
【０１３２】
（４）
電動弁制御Ｓ１３０のステップＳ１４３において、コントローラ５０が差圧ｄＰと過冷却度ＳＣとに基づいて、電動弁２１ａの開度を増加させているが、差圧ｄＰのみに基づいて、電動弁２１ａの開度を増加させても良い。また、過冷却度ＳＣのみに基づいて、電動弁２１ａの開度を増加させても良い。
【０１３３】
電動弁制御Ｓ１３０のステップＳ１４３では、コントローラ５０が電動弁２１ａの開度を所定量だけ増加させているが、電動弁２１ａの開度を全開としても良い。
【０１３４】
電動弁制御Ｓ１３０は、冷房専用装置の冷房運転時に適用されているが、冷暖房可能な空気調和装置の暖房運転時に適用しても良い。
【産業上の利用可能性】
【０１３５】
本発明は、空気調和装置に利用することができる。
【符号の説明】
【０１３６】
１０      ：室外機
１１      ：圧縮機
１２      ：室外熱交換器（凝縮器）
１３      ：室外ファン
２０      ：室内機
２１      ：電動弁（膨張弁）
２２      ：室内熱交換器（蒸発器）
３１      ：吸入配管
３２      ：吐出配管
３３      ：液配管
５０      ：コントローラ（制御装置）
６１      ：低圧圧力センサ
６２      ：高圧圧力センサ
７１      ：室外熱交換器出口温度センサ
７２      ：室内熱交換器出口温度センサ
７３      ：室内吸い込み空気温度センサ
７４      ：室外吸い込み空気温度センサ
８２      ：高圧遮断圧力スイッチ
１００    ：空気調和装置
【先行技術文献】
【特許文献】
【０１３７】
【特許文献１】特開２０１５−１２４９５８号公報
【図１】
2019087407.tif 000003
【図２】
2019087407.tif 000004
【図３】
2019087407.tif 000005
【図４】
2019087407.tif 000006
【図５】
2019087407.tif 000007
【図６】
2019087407.tif 000008
【図７】
2019087407.tif 000009
【図８】
2019087407.tif 000010
【図９】
2019087407.tif 000011
【図１０】
2019087407.tif 000012
【図１１】
2019087407.tif 000013
【図１２】
2019087407.tif 000014
【国際調査報告】
2019087407.tif 000015
2019087407.tif 000016
2019087407.tif 000017
2019087407.tif 000018